(57)【要約】      （修正有）【課題】形状多様化可能とすることで、装飾性を向上させた太陽エネルギーモジュールのパッケージ構造を提供する。【解決手段】太陽エネルギーモジュールが備えられ、上記太陽エネルギーモジュール１０の形状が、普通の四方形ではなく、上記太陽エネルギーモジュールの外部に、更に、パッケージ層２２を配し、、上記太陽エネルギーモジュール１０が、複数の形状に形成されるようにして太陽エネルギー板２０を構成する。【選択図】図２
0003154801.tif 000002
【実用新案登録請求の範囲】
【請求項１】
主として、少なくとも一つの太陽エネルギーモジュールが含有され、上記太陽エネルギーモジュールの形状が、普通の四方形ではなく、また、上記太陽エネルギーモジュールの外部に、更に、パッケージ層がパッケージされる、
ことを特徴とする太陽エネルギーモジュールの形状多様化可能のパッケージ構造。
【請求項２】
上記太陽エネルギーモジュールは、一側の表面に、更に、複数のボンディングワイヤーが設置され、上記らのボンディングワイヤーは、所定の形状に配列されることを特徴とする請求項１に記載の太陽エネルギーモジュールの形状多様化可能のパッケージ構造。
【請求項３】
上記らのボンディングワイヤーは、それぞれ、更に、複数の主ボンディングワイヤーと複数の連接ボンディングワイヤーから構成され、また、上記らの主ボンディングワイヤーは、それぞれ、上記太陽エネルギーモジュールの表面上に分布され、そして、上記らの主ボンディングワイヤーの傍において、更に、間隔をあけて上記らの連接ボンディングワイヤーが連接されることを特徴とする請求項２に記載の太陽エネルギーモジュールの形状多様化可能のパッケージ構造。
【請求項４】
上記太陽エネルギーモジュールの形状は、ブレード状であることを特徴とする請求項２に記載の太陽エネルギーモジュールの形状多様化可能のパッケージ構造。
【請求項５】
上記太陽エネルギーモジュールの形状は、多角形であることを特徴とする請求項２に記載の太陽エネルギーモジュールの形状多様化可能のパッケージ構造。
【請求項６】
上記太陽エネルギーモジュールは、太陽エネルギー板の一部であり、上記太陽エネルギー板上に、上記太陽エネルギーモジュールに対応する透過孔が形成されることを特徴とする請求項２に記載の太陽エネルギーモジュールの形状多様化可能のパッケージ構造。
【請求項７】
上記パッケージ層は、透明エポキシ樹脂材からなることを特徴とする請求項１に記載の太陽エネルギーモジュールの形状多様化可能のパッケージ構造。
【請求項８】
二つの太陽エネルギーモジュールが備えられ、上記らの太陽エネルギーモジュールは、逆に設置されて、上記らの主ボンディングワイヤーが、上記らの太陽エネルギーモジュールの外側に位置するように配置され、また、上記らの太陽エネルギーモジュールの外部に、更に、上記パッケージ層がパッケージされることを特徴とする請求項１に記載の太陽エネルギーモジュールの形状多様化可能のパッケージ構造。
【考案の詳細な説明】
【技術分野】
【０００１】
本考案は、太陽エネルギーモジュールの形状多様化可能のパッケージ構造に関する。
【背景技術】
【０００２】
図１は、従来の太陽エネルギー板の立体図であり、従来の太陽エネルギー板１の外観形状は、四方形が殆どで、その表面に、二つの主ボンディングワイヤー２と複数の連接ボンディングワイヤー３が配列され、上記らの主ボンディングワイヤー２が、間隔を空けて、上記太陽エネルギー板１の表面上に、平行に配列され、上記らの連接ボンディングワイヤー３が、間隔をあけて、上記主ボンディングワイヤー２の傍に、垂直に配列される。
【０００３】
従来の太陽エネルギー板１は、太陽エネルギーを変換して発電できるが、その外観造型が、単調であるため、建物の美感を低減しないため、上記太陽エネルギー板１が、屋根上やよく見られない箇所に設置される。
【０００４】
本考案者は、上記欠点を解消するため、慎重に研究し、また、学理を活用して、有効に上記欠点を解消でき、設計が合理である本考案を提案する。
【考案の概要】
【考案が解決しようとする課題】
【０００５】
本考案の主な目的は、上記太陽エネルギーモジュールが、複数の形状に作製できることにより、従来の太陽エネルギー板の発電機能を発揮しながら、その装飾性が向上される太陽エネルギーモジュールの形状多様化可能のパッケージ構造を提供する。
【課題を解決するための手段】
【０００６】
本考案は、太陽エネルギーモジュールが備えられ、上記太陽エネルギーモジュールの形状が、普通の四方形ではなく、また、上記太陽エネルギーモジュールの外部に、更に、パッケージ層がパッケージされる太陽エネルギーモジュールの形状多様化可能のパッケージ構造である。
【０００７】
以下、図面を参照しながら、本考案の特徴や技術内容について、詳しく説明するが、それらの図面等は、参考や説明のためであり、本考案は、それによって制限されることが無い。
【図面の簡単な説明】
【０００８】
【図１】従来の太陽エネルギー板の立体図
【図２】本考案の第一のより良い実施例の立体図
【図３】本考案の第二のより良い実施例の立体図
【図４】本考案の第三のより良い実施例の立体図
【図５】本考案の第四のより良い実施例の組立て断面図
【考案を実施するための形態】
【０００９】
図２は、本考案の第一のより良い実施例の立体図であり、太陽エネルギーモジュール１０が備えられ、その形状が、普通の四方形ではなく、本考案に係る第一のより良い実施例において、上記太陽エネルギーモジュール１０は、楕円形ブレードで、上記太陽エネルギーモジュール１０が、太陽エネルギー板２０を分割して形成され、上記太陽エネルギー板２０は、一側の表面に、複数のボンディングワイヤー２１が配列され、また、上記らのボンディングワイヤー２１は、それぞれ、更に、複数の主ボンディングワイヤー２１１と複数の連接ボンディングワイヤー２１２から構成され、そして、上記らの主ボンディングワイヤー２１１は、間隔を空けて、上記太陽エネルギー板２０の表面に平行に配列され、上記らの連接ボンディングワイヤー２１２は、間隔を空けて、上記らの主ボンディングワイヤー２１１の傍に、垂直に配列され、そして、上記太陽エネルギー板２０の外部に、更に、パッケージ層２２がパッケージされ、また、上記パッケージ層２２は、透明エポキシ樹脂（Ｅｐｏｘｙ）材料からなり、上記太陽エネルギーモジュール１０は、それぞれ、上記主ボンディングワイヤー２１１を中心として、分割して形成され、上記太陽エネルギー板２０上に、上記太陽エネルギーモジュール１０に対応する透過孔２３が形成される。
【００１０】
図３は、本考案の第二のより良い実施例の立体図であり、本考案の第二のより良い実施例と上述実施例との差異は、上記太陽エネルギーモジュール１０が、上記太陽エネルギー板２０を分割して形成される多角形ブレードで、上記太陽エネルギー板２０の一側表面に、間隔を空けて平行に三つの主ボンディングワイヤー２１１が設置され、中間の主ボンディングワイヤー２１１の傍に、更に、二つの不規則形状の主ボンディングワイヤー２１１が設置され、上記により、多角形ブレードが形成され、上記らの主ボンディングワイヤー２１１の傍に、更に、斜めに平行に対称するように、上記らの連接ボンディングワイヤー２１２が設置され、本考案のより良い実施例において、上記らの主ボンディングワイヤー２１１と上記らの連接ボンディングワイヤー２１２は、スクリーン印刷により形成され、また、ブレードの葉脈分布を模倣して、エミュレーションの効果が得られ、また、上記太陽エネルギー板２０の外部にも、上記パッケージ層２２がパッケージされ、上記太陽エネルギーモジュール１０を切り取って、残り部分に、それに対応する上記透過孔２３が形成され、また、上記太陽エネルギー板２０は、上記透過孔２３の形状を利用して、逆方向の装飾作用が発揮され、また、分割した後の太陽エネルギー板２０も、タイルや立体装飾として利用できる。
【００１１】
図４は、本考案の第三のより良い実施例の立体図であり、本考案の第三のより良い実施例と上述実施例との主な差異は、上記太陽エネルギーモジュール１０が、多角形に分割されて、星形状になり、上記太陽エネルギーモジュール１０の一側表面に、中央から各隅へ、上記らの主ボンディングワイヤー２１１が設置され、上記らの主ボンディングワイヤー２１１の傍に、それぞれ、間隔を空けて、更に、上記らの連接ボンディングワイヤー２１２が配列され、上記らの連接ボンディングワイヤー２１２が、それぞれ、斜めに各隅へ延び、上記らの主ボンディングワイヤー２１１と上記らの連接ボンディングワイヤー２１２とも、スクリーン印刷により形成される。
【００１２】
図５は、本考案の第四のより良い実施例の組立て断面図であり、第四のより良い実施例において、主として、二つの太陽エネルギーモジュール１０を、逆方向に設置し、上記らの主ボンディングワイヤー２１１が、上記らの太陽エネルギーモジュール１０の外側に位置させ、また、上記パッケージ層２２を利用して、全体としてパッケージする。
【００１３】
そのため、本考案は、より進歩的かつより実用的で、法に従って考案登録請求を出願する。
【００１４】
以上は、ただ、本考案のより良い実施例であり、本考案は、それによって制限されることが無く、本考案に係わる特許請求の範囲や明細書の内容に基づいて行った等価の変更や修正は、全てが、本考案の考案登録請求の範囲内に含まれる。
【符号の説明】
【００１５】
従来
１     太陽エネルギー板
２     主ボンディングワイヤー
３     連接ボンディングワイヤー
本考案
１０      太陽エネルギーモジュール
２０      太陽エネルギー板
２１      ボンディングワイヤー
２１１    主ボンディングワイヤー
２１２    連接ボンディングワイヤー
２２      パッケージ層
２３      透過孔
【図１】
0003154801.tif 000003
【図２】
0003154801.tif 000004
【図３】
0003154801.tif 000005
【図４】
0003154801.tif 000006
【図５】
0003154801.tif 000007
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
主として、少なくとも一つの太陽エネルギーモジュールが含有され、上記太陽エネルギーモジュールの形状が四方形ではなく、また、上記太陽エネルギーモジュールの外部に、更に、パッケージ層がパッケージされる、
ことを特徴とする太陽エネルギーモジュールの形状多様化可能のパッケージ構造。
【請求項２】
上記太陽エネルギーモジュールは、一側の表面に、更に、複数のボンディングワイヤーが設置され、上記複数のボンディングワイヤーは、所定の形状に配列されることを特徴とする請求項１に記載の太陽エネルギーモジュールの形状多様化可能のパッケージ構造。
【請求項３】
上記複数のボンディングワイヤーは、それぞれ、更に、複数の主ボンディングワイヤーと複数の連接ボンディングワイヤーから構成され、また、上記複数の主ボンディングワイヤーは、それぞれ、上記太陽エネルギーモジュールの表面上に分布され、そして、上記複数の主ボンディングワイヤーの傍において、更に、間隔をあけて上記複数の連接ボンディングワイヤーが連接されることを特徴とする請求項２に記載の太陽エネルギーモジュールの形状多様化可能のパッケージ構造。
【請求項４】
上記太陽エネルギーモジュールの形状は、ブレード状であることを特徴とする請求項２に記載の太陽エネルギーモジュールの形状多様化可能のパッケージ構造。
【請求項５】
上記太陽エネルギーモジュールの形状は、多角形であることを特徴とする請求項２に記載の太陽エネルギーモジュールの形状多様化可能のパッケージ構造。
【請求項６】
上記太陽エネルギーモジュールは、太陽エネルギー板の一部であり、上記太陽エネルギー板上に、上記太陽エネルギーモジュールに対応する透過孔が形成されることを特徴とする請求項２に記載の太陽エネルギーモジュールの形状多様化可能のパッケージ構造。
【請求項７】
上記パッケージ層は、透明エポキシ樹脂材からなることを特徴とする請求項１に記載の太陽エネルギーモジュールの形状多様化可能のパッケージ構造。
【請求項８】
上記二つの太陽エネルギーモジュールが備えられ、上記二つの太陽エネルギーモジュールは、相互に背中合わせに設置されて、上記複数の主ボンディングワイヤーが、上記二つの太陽エネルギーモジュールの外側に位置するように配置され、また、上記二つの太陽エネルギーモジュールの外部に、更に、上記パッケージ層がパッケージされることを特徴とする請求項３に記載の太陽エネルギーモジュールの形状多様化可能のパッケージ構造。
【手続補正２】
【補正対象書類名】明細書
【補正対象項目名】０００６
【補正方法】変更
【補正の内容】
【０００６】
本考案は、太陽エネルギーモジュールが備えられ、上記太陽エネルギーモジュールの形状が四方形ではなく、また、上記太陽エネルギーモジュールの外部に、更に、パッケージ層がパッケージされる太陽エネルギーモジュールの形状多様化可能のパッケージ構造である。
【手続補正３】
【補正対象書類名】明細書
【補正対象項目名】０００９
【補正方法】変更
【補正の内容】
【０００９】
図２は、本考案の第一のより良い実施例の立体図であり、太陽エネルギーモジュール１０が備えられ、その形状が四方形ではなく、本考案に係る第一のより良い実施例において、上記太陽エネルギーモジュール１０は、楕円形ブレードで、上記太陽エネルギーモジュール１０が、太陽エネルギー板２０を分割して形成され、上記太陽エネルギー板２０は、一側の表面に、複数のボンディングワイヤー２１が配列され、また、上記複数のボンディングワイヤー２１は、それぞれ、更に、複数の主ボンディングワイヤー２１１と複数の連接ボンディングワイヤー２１２から構成され、そして、上記複数の主ボンディングワイヤー２１１は、間隔を空けて、上記太陽エネルギー板２０の表面に平行に配列され、上記複数の連接ボンディングワイヤー２１２は、間隔を空けて、上記複数の主ボンディングワイヤー２１１の傍に、垂直に配列され、そして、上記太陽エネルギー板２０の外部に、更に、パッケージ層２２がパッケージされ、また、上記パッケージ層２２は、透明エポキシ樹脂（Ｅｐｏｘｙ）材料からなり、上記太陽エネルギーモジュール１０は、それぞれ、上記主ボンディングワイヤー２１１を中心として、分割して形成され、上記太陽エネルギー板２０上に、上記太陽エネルギーモジュール１０に対応する透過孔２３が形成される。
【手続補正４】
【補正対象書類名】明細書
【補正対象項目名】００１０
【補正方法】変更
【補正の内容】
【００１０】
図３は、本考案の第二のより良い実施例の立体図であり、本考案の第二のより良い実施例と上述実施例との差異は、上記太陽エネルギーモジュール１０が、上記太陽エネルギー板２０を分割して形成される多角形ブレードで、上記太陽エネルギー板２０の一側表面に、間隔を空けて平行に三つの主ボンディングワイヤー２１１が設置され、中間の主ボンディングワイヤー２１１の傍に、更に、二つの不規則形状の主ボンディングワイヤー２１１が設置され、上記により、多角形ブレードが形成され、上記複数の主ボンディングワイヤー２１１の傍に、更に、斜めに平行に対称するように、上記複数の連接ボンディングワイヤー２１２が設置され、本考案のより良い実施例において、上記複数の主ボンディングワイヤー２１１と上記複数の連接ボンディングワイヤー２１２は、スクリーン印刷により形成され、また、ブレードの葉脈分布を模倣して、エミュレーションの効果が得られ、また、上記太陽エネルギー板２０の外部にも、上記パッケージ層２２がパッケージされ、上記太陽エネルギーモジュール１０を切り取って、残り部分に、それに対応する上記透過孔２３が形成され、また、上記太陽エネルギー板２０は、上記透過孔２３の形状を利用して、逆方向の装飾作用が発揮され、また、分割した後の太陽エネルギー板２０も、タイルや立体装飾として利用できる。
【手続補正５】
【補正対象書類名】明細書
【補正対象項目名】００１１
【補正方法】変更
【補正の内容】
【００１１】
図４は、本考案の第三のより良い実施例の立体図であり、本考案の第三のより良い実施例と上述実施例との主な差異は、上記太陽エネルギーモジュール１０が、多角形に分割されて、星形状になり、上記太陽エネルギーモジュール１０の一側表面に、中央から各隅へ、上記複数の主ボンディングワイヤー２１１が設置され、上記複数の主ボンディングワイヤー２１１の傍に、それぞれ、間隔を空けて、更に、上記複数の連接ボンディングワイヤー２１２が配列され、上記複数の連接ボンディングワイヤー２１２が、それぞれ、斜めに各隅へ延び、上記複数の主ボンディングワイヤー２１１と上記らの連接ボンディングワイヤー２１２とも、スクリーン印刷により形成される。
【手続補正６】
【補正対象書類名】明細書
【補正対象項目名】００１２
【補正方法】変更
【補正の内容】
【００１２】
図５は、本考案の第四のより良い実施例の組立て断面図であり、第四のより良い実施例において、主として、二つの太陽エネルギーモジュール１０を、相互に背中合わせに設置し、上記複数の主ボンディングワイヤー２１１が、上記複数の太陽エネルギーモジュール１０の外側に位置され、また、上記パッケージ層２２を利用して、全体としてパッケージする。